(57)【要約】      （修正有）【課題】携帯用手鏡に関して優れたデザイン性を付与できるとともに、視認しにくい周囲を映し出すことができる利便性を備えた携帯用手鏡を提供する。【解決手段】鏡板１１を開口部に配置した２つのお椀状のケース本体を、鏡板１１の鏡面同士をそれぞれ向かい合わせるようにして接合して構成する。前記ケース本体は、それぞれの内部に配置した磁石１４の吸引力を介して着脱自在に接合されている。【選択図】図３
0003185275.tif 000002
【実用新案登録請求の範囲】
【請求項１】
鏡板を開口部に配置した２つのお椀状のケース本体を、
鏡板の鏡面同士をそれぞれ向かい合わせるようにして接合して構成し、
前記ケース本体は、それぞれの内部に配置した磁石の吸引力を介して着脱自在に接合されていることを特徴とする携帯用手鏡。
【請求項２】
前記ケース本体の内部に香袋が収納されるとともに、
前記ケース本体を構成する湾曲体であるシェルに微小通気孔が穿設されており、
この微小通気孔を通して香袋からの香りがケース本体の外部に拡散されるようにしたことを特徴とする請求項１に記載の携帯用手鏡。
【請求項３】
前記ケース本体を構成する湾曲体であるシェルの外面に、
装飾用の布地が被覆されていることを特徴とする請求項１又は２に記載の携帯用手鏡。
【請求項４】
前記ケース本体を構成する湾曲体であるシェルの外面と、
前記装飾用の布地との間に、
衝撃吸収のためのクッション材が装着されていることを特徴とする請求項１〜３のいずれか１項に記載の携帯用手鏡。
【請求項５】
前記鏡板の背面又はその周縁にＬＥＤなどの発光体を配置するようにしたことをを特徴とする請求項１〜４のいずれか１項に記載の携帯用手鏡。
【請求項６】
前記鏡板を、平面鏡と、視野を拡大する凸面鏡や鏡像を拡大する凹面鏡との組み合わせとしたことをを特徴とする請求項１〜５のいずれか１項に記載の携帯用手鏡。
【考案の詳細な説明】
【技術分野】
【０００１】
本考案は鞄やポケットに入れて携帯し、化粧直しやコンタクトレンズの着脱等に際して用いる携帯用手鏡（コンパクトミラー）に関する。
【背景技術】
【０００２】
従来の一般的な携帯用の手鏡は、合成樹脂等からなるケースに鏡板を嵌め込んだ手鏡本体と、その手鏡本体に被せられて鏡面を保護する蓋体とを具備して構成されている。
手鏡本体と蓋体とは、例えば特許文献１などにも開示されているように、一端部のヒンジを介して二つ折り可能に枢着されている。
このような手鏡を用いて自分自身の後部を見ながら身なりを整えたい場合などには、前方に鏡を置いた状態で手鏡を自身の後方に配置して、手鏡に映された自身の後ろ姿を前方の鏡に映して、これを確認するといった方法を用いる。
また、例えば特許文献２には、手鏡を持たずに任意の位置に固定する仕組みのものが開示されている。
【先行技術文献】
【特許文献】
【０００３】
【特許文献１】特開２００７−１６７４９１号公報
【特許文献２】実開平７−３６８２３号公報
【考案の概要】
【考案が解決しようとする課題】
【０００４】
特許文献１に示したような蓋体と手鏡本体とをヒンジ連結したコンパクトミラーは、ヒンジを組み込むために外周の一部をカットして、そこに直線状の凹凸嵌合部を設ける必要があり、全体を円形状や貝殻状などのデザインを反映した場合などにおいて制約されるという欠点があった。
また、特許文献２に開示されている鏡では、鏡を取り付けるための取り付け装置が必要であるため、バッグなどに入れて持ち運ぶ携帯用として使うには不便なものであった。
【０００５】
本考案は、前記従来の課題を解決するためになされたもので、使用時や収納時における鏡面の汚れや傷付き性を低減し、優れたデザイン性を付与した携帯用手鏡を提供するとともに、正面から映すことが難しい部分（例えば、使用者の後頭部など）を簡易に見ることができる利便性を備えた携帯用手鏡を提供することを目的とする。
【課題を解決するための手段】
【０００６】
（１）本考案の携帯用手鏡は、
鏡板を開口部に配置した２つのお椀状のケース本体を、
鏡板の鏡面同士をそれぞれ向かい合わせるようにして接合して構成されており、
前記ケース本体は、それぞれの内部に配置した磁石の吸引力を介して着脱自在に接合されていることを特徴とする。
【０００７】
（２）本考案の携帯用手鏡は、上記（１）において、
前記ケース本体の内部に香袋が収納されるとともに、
前記ケース本体を構成する湾曲体であるシェルに微小通気孔が穿設されており、
この微小通気孔を通して香袋からの香りがケース本体の外部に拡散されるようにしたことを特徴とする。
【０００８】
（３）本考案の携帯用手鏡は、上記（１）又は（２）において、
前記ケース本体を構成する湾曲体であるシェルの外面に、装飾用の布地が被覆されていることを特徴とする。
【０００９】
（４）本考案の携帯用手鏡は、上記（１）〜（３）のいずれかにおいて、
前記ケース本体を構成する湾曲体であるシェルの外面と、
前記装飾用の布地との間に、
衝撃吸収のためのクッション材が装着されていることを特徴とする。
【００１０】
（５）本考案の携帯用手鏡は、上記（１）〜（４）のいずれかにおいて、
前記鏡板の背面又はその周縁にＬＥＤなどの発光体を配置するようにしたことをを特徴とする。
【００１１】
（６）本考案の携帯用手鏡は、上記（１）〜（５）のいずれかにおいて、
前記鏡板を、平面鏡と、視野を拡大する凸面鏡や鏡像を拡大する凹面鏡との組み合わせとしたことをを特徴とする。
【考案の効果】
【００１２】
本考案の携帯用手鏡は、磁石によってお椀状のケース本体同士を着脱自在に接合した携帯用手鏡であって、前記ケース本体の開口部にはそれぞれ鏡板が取り付けられているので、
２つの鏡を組み合わせて使用することにより、使用者の後頭部など正面から映すことが難しい部分を簡易にみることができる利便性を有している。
また、磁石の吸引力によって接合した２つのケース本体をいつでも容易に分離して使用できる。
さらに、これらのケース本体の外面を美しい布地などで修飾することができ、意匠的効果を高めて商品価値を上げるとともに、外観優美なコンパクトミラーとすることができる。
そして、二つ合わせにした携帯用手鏡はその鏡板部分が被覆保護されることから、バッグやポケットに入れて携帯しても他物との接触で汚損や破損することがない。
さらにまた、分離した２枚の鏡板を組み合わせて用いることによって、１枚の鏡では視認できない身体の後方部分などをいつでも見渡すことができ、その利便性に優れている。
そして、ケース本体の外面に衝撃吸収のためのクッション材などを必要に応じて装着させることによって、ケース本体の感触性や保護性に優れている。
【図面の簡単な説明】
【００１３】
【図１】本考案の一実施例に係る携帯用手鏡の外観斜視図である。
【図２】本考案の実施例の携帯用手鏡を分離した状態を示す説明図である。
【図３】本考案の実施例の携帯用手鏡の製造方法を示す概略説明図である。
【考案を実施するための形態】
【００１４】
本考案の一実施形態に係る携帯用手鏡は、鏡板を開口部に配置した２つのお椀状のケース本体を、鏡板の鏡面同士をそれぞれ向かい合わせるようにして接合して構成されており、前記ケース本体は、それぞれの内部に配置した磁石の吸引力を介して着脱自在に接合されているように構成されている。
【００１５】
このように構成されている携帯用手鏡は、ケース本体を二つ合わせにしたその鏡板部分が被覆保護されることから、バッグやポケットに入れて携帯しても他物との接触で汚損や破損することがない。
さらに、分離した２枚の鏡板を組み合わせて用いることによって、１枚の鏡では視認できない身体の後方部分などをいつでも見渡すことができ、その利便性に優れている。
【００１６】
ケース本体は、例えば、アルミなどの金属材やプラスチック材、紙材を素材として、お椀状や扁平状、貝殻状などの形状に形成されている。
また、ケース本体を構成する湾曲体であるシェルの外面と、装飾用の布地との間に、衝撃吸収のためのクッション材を装着することもできる。
これによって、ケース本体の感触性や衝撃からの保護性に優れたものとなる。
【００１７】
ケース本体の開口部にそれぞれ配置される鏡板は、ガラス製または透明プラスチック製などを用いることができ、円盤状もしくは方形状のものが好ましく適用できる。
なお、これら鏡板の一方を、ハーフミラーとして形成して、鏡板の背面又はその周縁にＬＥＤなどの発光体を配置することで照明用光源として利用するようにしてもよい。
【００１８】
また、本考案の携帯用手鏡は、ケース本体の開口部に配置される鏡板とケース本体との間（ケース本体の内部）には、周囲に香り成分を発散させるための芳香剤などを収納した香袋を配置することができる。
すなわち、ケース本体と鏡板との間には香袋が収納され、ケース本体に穿設した微小通気孔を通して香袋の香りを周囲に拡散させることができる。
これによって、携帯用手鏡を携行する際や使用時における雰囲気を好みに合わせて演出することができる。
【００１９】
香袋における香り成分保持材は、香り成分が含浸された紙、織布、不織布や、素焼きの陶、セラミックなどを用いることができる。
さらに、香木をスライスした薄板、薄板状に形成したものでもよい。また、香り成分としてハーブエッセンスなどを用いることによって、リラクゼーション効果などを得ることができる。
【００２０】
なお、ケース本体に微小通気孔を封止するシャッター機構などを設けることもできる。
このような機構によって、手鏡携行時の周囲への香りの付着を防止できるとともに、香り成分の発散を最小限に抑えることができる。
【００２１】
本考案の携帯用手鏡は、蓋体の裏面に照明用発光部を配置することもできる。
これによって、蓋体に配置したＬＥＤライトなどの照明用発光部を光源として用いることができ、劇場内や車内などの暗い場所であっても、メークなどを行うことができる。
照明用発光部としては、例えば、円形状の鏡板周縁に配置したＬＥＤライトの他にも、鏡板自体を透明薄膜発光体としたものなどを適用することもできる。
【００２２】
また、ケース本体に収納される鏡板を、平面鏡と、視野を拡大する凸面鏡や鏡像を拡大する凹面鏡との組み合わせとすることもできる。
これによって、二枚の鏡を用いて自身の背後などを見たいときにその視野部分や周囲を含めた視野部分を拡大表示させながらメーキング操作を的確に行うことができ、さらに、利便性に優れたものとすることができる。
【実施例】
【００２３】
以下に、本考案の携帯用手鏡の実施例を添付図面に基づいて詳細に説明する。
図１は本考案の一実施例に係る携帯用手鏡の外観斜視図であり、図２は図１の携帯用手鏡を分離した状態を示す説明図である。
また、図３は本考案の携帯用手鏡の製造方法の一例を示す概略説明図である。
図１〜図３に示すように、本実施例の携帯用手鏡１０は、鏡板１１を開口部に配置したケース本体１２、１３を、鏡板１１の鏡面同士をそれぞれ向かい合わせるようにして接合して構成されている。
ケース本体１２、１３は、それぞれの内部に配置した磁石１４（図３参照）の吸引力を介して接合されており、接合された後においても容易に分離可能になっている。
【００２４】
装飾用の布地２０などで被覆されるケース本体１２、１３は、アルミ板などの金属薄板や、プラスチック材、紙質材などからなるお椀状に形成された湾曲体（シェル）１７を有している。
そして、そのシェル１７の外面は布地２０で被覆されている。
また、ケース本体１２、１３の合わせ面となる開口部１２ａ、１３ａには、それぞれ円形状の鏡板１１、１１’が対向するように配置されており、磁石１４によって両開口部１２ａ、１３ａ同士を接合するようにして携帯用手鏡１０が完成される。
なお、必要に応じて、ケース本体１２、１３の内部には香袋１５を配置することができ、この場合には、それぞれのシェル１７に微小通気孔１８を穿設しておくことが望ましい。
これによって、本考案の携帯用手鏡１０を鞄やポケットから取り出して使用する時に、微小通気孔１８を介して香り成分を周囲に拡散させることができる。
【００２５】
さらに、磁力によって接合されているケース本体１２、１３を分離して、それぞれを独立した手鏡として使用することができる。
これによって、例えば、一方のケース本体１２を左手で保持しながら、他方のケース本体１３を右手に持って向かい合わせした状態にすることにより、右手に持ったケース本体１３の鏡板１１’に写った鏡像を、左手に持ったケース本体１２の鏡板１１で視認することができる。
さらに、それぞれの内部に配置した磁石１４の磁力を利用して、車内や室内の壁面にケース本体１２又は１３を固定して配置することによって、装飾効果などの汎用性を付与することも可能となる。
あるいは、分離したケース本体１２、１３を、背中合わせにしてシェル内の磁力で吸着させて（シェルの外面同士を磁力により接合する）用いることもできる。この場合は、片手で持ちやすくなるとともに、机の上に立てることもできる。
本考案の携帯用手鏡を、このような使用形態で使うことにことによって、両手がふさがらず、口紅などを持ったまま化粧直しができる。
【００２６】
図３に、以上のように構成される携帯用手鏡１０の製造方法の一例を示す概略説明図を示す。
なお、ここでは一方のケース本体１２についての製造方法を示しているが、同一構成である他方のケース本体１３にも同様に適用することができる。
【００２７】
（ａ）ケース本体（以下くるみボタンともいう）１２の外面に被覆するための布地２０を直径７.５mmの丸型にカットする。
（ｂ）クッション材となるキルト綿２１を直径５０ｍｍの丸型にカットする。
（ｃ）打ち具（下型）２２の内部に、下から順に、布地２０、キルト綿（クッション材）２１、くるみボタンのシエル（湾曲体）１７、香袋１５をセットする。
（ｄ）次に、上記セットが終わった後、その裏面に磁石１４を強力両面テープで固定した裏蓋１６をシエル１７の上方から（開口部に）被せる（磁石のＮＳ極性の方向を確認する）。
（ｅ）打ち具（下型）２２にセットされた裏蓋１６を、シエル１７の上方（開口部）から打ち具（上型）２４で押さえて、裏蓋１６をシエル１７の内部にはめ込む。
同時に、シェル１７の周囲りにはみ出している布地２０も、裏蓋１６で押さえ込むようにしてシェル１７の内部へ納めるようにする。
（ｆ）次に、その裏に強力両面テープを貼った鏡板１１を、裏蓋１６の上面に接着して固定する。
（ｇ）他方のケース本体１３についても、上記のケース本体１２と同様の工程で製造する。
【００２８】
上記（ａ）〜（ｇ）の手順でケース本体１２、１３を作り、磁石２４の磁力（ＮＳ極）が吸引状態となるように鏡板１１、１１’を合わせるようにして接合させて完成品（携帯用手鏡１０）とする。
このように、ケース本体１２、１３にそれぞれ配置した二枚の鏡板１１、１１’を組み合わせて用いることによって、身体各部の身だしなみを好適に整えることができる。
また、香袋を収納した携帯用手鏡１０をバックに忍ばせておけば、バッグの開閉時などにおいて都度芳香が楽しめる。
【００２９】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００３０】
本考案は、コンパクトミラーに限らず、比較的大きな鏡の場合でも適用できる。
且つ円形に限らず楕円形、四角形、六角形などのものでも利用できるものである。
【符号の説明】
【００３１】
１０    携帯用手鏡
１１、１１’  鏡板
１２    ケース本体
１２ａ  開口部
１３    ケース本体
１３ａ  開口部
１４    磁石
１５    香袋
１６    裏蓋
１７    シェル
１８    微小通気孔
２０    布地
２１    キルト綿（クッション材）
２２    打ち具（上型）
２４    打ち具（下型）
【図１】
0003185275.tif 000003
【図２】
0003185275.tif 000004
【図３】
0003185275.tif 000005